(57)【要約】【課題】直前の使用状態により、電源オフ操作の直後に再度電源オン操作をすることで、プロジェクターを直前の使用状態に戻すことができるプロジェクターを提供する。【解決手段】プロジェクター１が電源オフ操作を受け付けた時、画像信号検出手段３２により、画像信号が検出されている（ステップＳ１０２：Ｙ）場合に、プロジェクター１を電源オフ保留状態に移行させる。制御手段は、電源オフ保留状態において、電源オフ保留時間Ｔ１を経過（ステップＳ１０７：Ｙ）するか、画像信号検出手段により画像信号が検出されなくなった（ステップＳ１０６：Ｎ）場合に、当該プロジェクターの電源をオフ（ステップＳ１１０）する。【選択図】図３
2013044850.tif 000002
【特許請求の範囲】
【請求項１】
光源から射出された光を画像情報に応じて変調して投写する画像投写手段を有するプロジェクターであって、
入力操作を受け付ける入力操作手段と、
画像信号が入力される画像入力端子と、
前記画像入力端子に画像信号が入力されているか否かを検出する画像信号検出手段と、
当該プロジェクターが電源オフ操作を受け付けた時、前記画像信号検出手段により、前記画像信号が検出されている場合に、当該プロジェクターを電源オフ保留状態に移行させる制御手段と、を備え、
前記制御手段は、前記電源オフ保留状態において、電源オフ保留時間を経過するか、前記画像信号検出手段により前記画像信号が検出されなくなった場合に、当該プロジェクターの電源をオフし、
前記制御手段は、前記電源オフ保留状態において、前記入力操作手段が当該プロジェクターの電源オン操作を検出した場合、前記電源オフ保留状態を解除し、当該プロジェクターを電源オン状態に移行させることを特徴とする、プロジェクター。
【請求項２】
請求項１に記載のプロジェクターであって、
前記制御手段は、前記電源オフ保留状態において、予め定められたミュート画像を前記画像投写手段に投写することを特徴とする、プロジェクター。
【請求項３】
請求項１または２に記載のプロジェクターであって、
記録媒体に記録されている前記画像情報を読み出す読み出し手段と、
前記記録媒体が当該プロジェクターに装着されたことを検出する装着検出手段と、
をさらに備え、
前記制御手段は、当該プロジェクターが前記電源オフ操作を受け付けた時、前記装着検出手段により、前記記録媒体が装着されていると判断された場合に、当該プロジェクターを前記電源オフ保留状態に移行させ、
前記制御手段は、前記電源オフ保留状態において、前記電源オフ保留時間を経過するか、前記装着検出手段により前記記録媒体が装着されていないと判断された場合に、当該プロジェクターの電源をオフすることを特徴とする、プロジェクター。
【請求項４】
請求項１または２に記載のプロジェクターであって、
当該プロジェクターが前記画像入力端子からの画像信号に基づく画像情報を投写している状態において、前記画像信号検出手段が前記画像信号の無信号状態がスリープ移行時間を継続したことを検出した場合に前記電源オフ保留状態に移行させるスリープモード実行手段をさらに備え、
前記制御手段は、前記スリープモード実行手段により、前記電源オフ保留状態に移行し、前記電源オフ保留時間を経過した場合に、当該プロジェクターの電源をオフすることを特徴とする、プロジェクター。
【請求項５】
請求項４に記載のプロジェクターであって、
前記スリープモード実行手段によるスリープモード動作を有効にするか否かのスリープモード設定手段をさらに備え、
前記制御手段は、前記スリープモード実行手段により、前記電源オフ保留状態に移行した状態において前記入力操作手段が当該プロジェクターの前記電源オン操作を検出した場合、前記電源オフ保留状態を解除し、前記スリープモード動作を無効にするか否かの確認メッセージを前記画像投写手段に投写させることを特徴とする、プロジェクター。
【請求項６】
光源から射出された光を画像情報に応じて変調して投写する画像投写手段を有するプロジェクターの制御方法であって、
入力操作を受け付ける入力操作手段と、
画像信号が入力される画像入力端子と、
前記画像入力端子に前記画像信号が入力されているか否かを検出する画像信号検出ステップと、
当該プロジェクターが電源オフ操作を受け付けた時、前記画像信号検出ステップにより、前記画像信号が検出されている場合に、当該プロジェクターを電源オフ保留状態に移行させる制御ステップと、を備え、
前記制御ステップは、前記電源オフ保留状態において、電源オフ保留時間を経過するか、前記画像信号検出ステップにより前記画像信号が検出されなくなった場合に、当該プロジェクターの電源をオフし、
前記制御ステップは、前記電源オフ保留状態において、前記入力操作手段が当該プロジェクターの電源オン操作を検出した場合、前記電源オフ保留状態を解除し、当該プロジェクターを電源オン状態に移行させることを特徴とする、プロジェクターの制御方法。
【発明の詳細な説明】
【技術分野】
【０００１】
本発明は、画像情報を投写するプロジェクター、およびプロジェクターの制御方法に関する。
【背景技術】
【０００２】
画像を投写するプロジェクターにおいて、投写中に誤って電源オフしてしまい、再度電源オンする場合、光源の再点灯処理や内部の初期設定、また、ＤＶＤ（Ｄｉｇｉｔａｌ  Ｖｅｒｓａｔｉｌｅ  Ｄｉｓｃ）等の記録媒体に記録されている画像情報を再生するための画像再生手段を一体的に備えたものにおいては、記録媒体内の情報の読出しなどに時間がかかることがあり、画像が再度投写されるまで待たなくてはならなかった。
特許文献１には電源オフ指示（電源のオフ操作）があってから一定の猶予時間経過後に光源を消灯し、電源オフするプロジェクターが開示されている。これによれば、電源をオフ操作し、猶予時間内に再度電源オン操作すれば直ちに電源オフの取り消しができる。
【先行技術文献】
【特許文献】
【０００３】
【特許文献１】特開平１１−１１９３４０号公報
【発明の概要】
【発明が解決しようとする課題】
【０００４】
しかしながら、特許文献１のプロジェクターでは、使用状態によらず、常に電源のオフ操作から電源オフまでの猶予時間が存在するので、実際に使用していないにもかかわらず、光源が点灯し、無駄な電力が消費されるという問題があった。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターは、光源から射出された光を画像情報に応じて変調して投写する画像投写手段を有するプロジェクターであって、入力操作を受け付ける入力操作手段と、画像信号が入力される画像入力端子と、前記画像入力端子に画像信号が入力されているか否かを検出する画像信号検出手段と、当該プロジェクターが電源オフ操作を受け付けた時、前記画像信号検出手段により、前記画像信号が検出されている場合に、当該プロジェクターを電源オフ保留状態に移行させる制御手段と、を備え、前記制御手段は、前記電源オフ保留状態において、電源オフ保留時間を経過するか、前記画像信号検出手段により前記画像信号が検出されなくなった場合に、当該プロジェクターの電源をオフし、前記制御手段は、前記電源オフ保留状態において、前記入力操作手段が当該プロジェクターの電源オン操作を検出した場合、前記電源オフ保留状態を解除し、当該プロジェクターを電源オン状態に移行させることを特徴とする。
【０００７】
本適用例によれば、画像入力端子からの画像情報を投写中に電源オフ操作をした場合、画像信号が入力されていれば電源オフ保留時間が経過するまでは電源オフが保留され、この間に再度電源オン操作を行えば、再度プロジェクターが電源オン状態になる。また、電源オフ操作時、および電源オフ保留状態で画像信号が入力されていなければ直ちに電源オフする。これにより、有効な画像信号を投写中に誤って電源オフ操作をした場合は、電源オフ保留時間が経過するまでに電源オン操作すればすぐに画像の投写を再開できる。従って、プロジェクターを再起動して画像が再度投写されるまでの光源再点灯や内部の初期設定などの工程を省くことができ、再投写されるまでの無駄な待ち時間がなくなる。また、画像信号が入力されていない状態で電源オフ操作をした場合や電源オフ保留状態で画像信号が入力されなくなれば直ちに電源をオフするので、電源オフ保留状態での電力消費を削減することが可能となる。
【０００８】
［適用例２］上記適用例に記載のプロジェクターにおいて、前記制御手段は、前記電源オフ保留状態において、予め定められたミュート画像を前記画像投写手段に投写することを特徴とする。
【０００９】
本適用例によれば、電源オフ保留状態において予め定められたミュート画像が表示されているので、プロジェクターが電源オフ保留状態になっていることを使用者（ユーザー）に知らせることが可能となる。
【００１０】
［適用例３］上記適用例に記載のプロジェクターにおいて、記録媒体に記録されている前記画像情報を読み出す読み出し手段と、前記記録媒体が当該プロジェクターに装着されたことを検出する装着検出手段と、をさらに備え、前記制御手段は、当該プロジェクターが前記電源オフ操作を受け付けた時、前記装着検出手段により、前記記録媒体が装着されていると判断された場合に、当該プロジェクターを前記電源オフ保留状態に移行させ、前記制御手段は、前記電源オフ保留状態において、前記電源オフ保留時間を経過するか、前記装着検出手段により前記記録媒体が装着されていないと判断された場合に、当該プロジェクターの電源をオフすることを特徴とする。
【００１１】
本適用例によれば、記録媒体に記録された画像情報を投写中に電源オフ操作をした場合、記録媒体が装着されていれば電源オフ保留時間が経過するまでは電源オフが保留され、この間に再度電源オン操作を行えば、再度プロジェクターが電源オン状態になる。また、電源オフ操作時、および電源オフ保留状態で記録媒体が装着されていなければ直ちに電源をオフする。これにより、記録媒体内の画像情報を投写中に誤って電源オフ操作した場合は、電源オフ保留時間が経過するまでに電源オン操作すればすぐに画像の投写を再開できる。従って、プロジェクターを再起動して画像が再度投写されるまでの光源再点灯や内部の初期設定などの工程を省くことができ、再投写されるまでの無駄な待ち時間がなくなる。また、記録媒体が装着されていない状態で電源オフ操作した場合や、電源オフ保留状態で記録媒体が外された場合は直ちに電源がオフされるので、電源オフ保留状態での電力消費を削減することが可能となる。
【００１２】
［適用例４］上記適用例に記載のプロジェクターにおいて、当該プロジェクターが前記画像入力端子からの画像信号に基づく画像情報を投写している状態において、前記画像信号検出手段が前記画像信号の無信号状態がスリープモード移行時間を継続したことを検出した場合に前記電源オフ保留状態に移行させるスリープモード実行手段をさらに備え、前記制御手段は、前記スリープモード実行手段により、前記電源オフ保留状態に移行し、前記電源オフ保留時間を経過した場合に、当該プロジェクターの電源をオフすることを特徴とする。
【００１３】
本適用例によれば、プロジェクターを使用中、外部機器からの画像信号を一時停止させており、画像信号が入らないためにスリープモードが働いた場合、一旦電源オフ保留状態になるので、この間にユーザーが電源オン操作をすれば直ちに投写を再開できる。従って、プロジェクターを再起動して画像が再度投写されるまでの光源再点灯や内部の初期設定などの工程を省くことができ、再投写されるまでの無駄な待ち時間がなくなる。
【００１４】
［適用例５］上記適用例に記載のプロジェクターにおいて、前記スリープモード実行手段によるスリープモード動作を有効にするか否かのスリープモード設定手段をさらに備え、前記制御手段は、前記スリープモード実行手段により、前記電源オフ保留状態に移行した状態において前記入力操作手段が当該プロジェクターの前記電源オン操作を検出した場合、前記電源オフ保留状態を解除し、前記スリープモード動作を無効にするか否かの確認メッセージを前記画像投写手段に投写させることを特徴とする。
【００１５】
本適用例によれば、意図しないスリープモード実行により、プロジェクターが電源オフ保留状態になった場合、所定時間内に電源オン操作することにより、直ちに投写を再開するとともに、スリープモードを無効にするか否かの確認メッセージが投写され、スリープモードを無効にするかどうかを使用者に選択させることができる。これにより、スリープモードを必要としないユーザーはスリープモードを無効に設定し、意図しないスリープモードが実行されるのを防止することが可能となる。
【００１６】
［適用例６］本適用例に係るプロジェクターの制御方法は、光源から射出された光を画像情報に応じて変調して投写する画像投写手段を有するプロジェクターの制御方法であって、入力操作を受け付ける入力操作手段と、画像信号が入力される画像入力端子と、前記画像入力端子に前記画像信号が入力されているか否かを検出する画像信号検出ステップと、当該プロジェクターが電源オフ操作を受け付けた時、前記画像信号検出ステップにより、前記画像信号が検出されている場合に、当該プロジェクターを電源オフ保留状態に移行させる制御ステップと、を備え、前記制御ステップは、前記電源オフ保留状態において、第１の時間を経過するか、前記画像信号検出ステップにより前記画像信号が検出されなくなった場合に、当該プロジェクターの電源をオフし、前記制御ステップは、前記電源オフ保留状態において、前記入力操作手段が当該プロジェクターの電源オン操作を検出した場合、前記電源オフ保留状態を解除し、当該プロジェクターを電源オン状態に移行させることを特徴とする。
【００１７】
本適用例によれば、画像入力端子からの画像情報を投写中に電源オフ操作した場合、画像信号が入力されていれば電源オフ保留時間が経過するまでは電源オフが保留され、この間に再度電源オン操作を行えば、再度プロジェクターが電源オン状態になる。また、電源オフ操作時、および電源オフ保留状態で画像信号が入力されていなければ直ちに電源をオフする。これにより、画像信号を投写中に誤って電源オフ操作した場合は、電源オフ保留時間が経過するまでに電源オン操作すればすぐに画像の投写を再開できる。従って、プロジェクターを再起動して画像が再度投写されるまでの光源再点灯や内部の初期設定などの工程を省くことができ、再投写されるまでの無駄な待ち時間がなくなる。また、画像信号が入力されていない状態で電源オフ操作をした場合や電源オフ保留状態で画像信号が入力されなくなれば直ちに電源をオフするので、電源オフ保留状態での電力消費を削減することが可能となる。
【図面の簡単な説明】
【００１８】
【図１】プロジェクターの斜視図。
【図２】プロジェクターの概略構成を示すブロック図。
【図３】プロジェクターが外部入力画像を投写中に電源オフ操作を受け付けたときの動作を示すフローチャート。
【図４】プロジェクターがＤＶＤ画像を投写中に電源オフ操作を受け付けたときの動作を示すフローチャート。
【図５】プロジェクターが外部入力画像を投写中に無信号状態を検出したときの動作を示すフローチャート。
【図６】スリープモード確認メッセージの一例を示す図。
【発明を実施するための形態】
【００１９】
以下、添付図面を参照して本発明のプロジェクターについて説明する。なお、以下の実施形態は特許請求の範囲にかかる発明を限定するものではなく、また、実施形態における特徴の組み合わせの全てが発明の解決手段に必須であるとは限らない。
【００２０】
（第１実施形態）
図１は、本実施形態のプロジェクターの斜視図である。
図１に示すように、プロジェクター１は、外装を構成する筐体２によって装置本体が覆われた構成を有している。筐体２の投写方向にある前面２ｆには、外部のスクリーン等に画像（画像光）を投写する投写レンズ１３が露出しており、投写レンズ１３の鉛直方向の下側には、記録媒体の一例であるＤＶＤメディアを挿入するためのディスクスロット３が設けられている。また、筐体２の前面２ｆには、リモートコントローラー（リモコンとも称する）２３から送信される操作信号を受信するための操作信号受信手段２４が配置されている。
【００２１】
筐体２には、プロジェクター１に対して各種指示を行うための本体操作手段２２が設けられており、本体操作手段２２は複数の操作キー（操作ボタン）２２０を備えて構成される。本体操作手段２２を構成する複数の操作キー２２０のうち、ディスクスロット３からＤＶＤメディアを排出するための操作キー（イジェクトキー）２２１は、筐体２の前面２ｆ（ディスクスロット３の近傍）に配置されており、それ以外の操作キーは、筐体２の上面２ｔに配置されている。
また、リモコン２３にも、本体操作手段２２と同様、プロジェクター１に対して各種指示を行うための複数の操作キー２３０が備えられており、プロジェクター１を遠隔操作することが可能になっている。
【００２２】
図２は、本実施形態のプロジェクターの回路構成を示すブロック図である。
図２に示すように、プロジェクター１は、画像投写手段１０、制御手段２０、記憶手段２１、本体操作手段２２、操作信号受信手段２４、画像入力端子２５、光源制御手段２６、ＤＶＤ再生手段２７、画像信号検出手段３２、入力選択手段３３、画像処理手段３４、ＯＳＤ処理手段３５、電源部３６、電源端子３７等で構成されており、これらは図１に示す筐体２の内部に収容されている。
【００２３】
画像投写手段１０は、光源１１、光変調装置としての３つの液晶ライトバルブ１２Ｒ、１２Ｇ、１２Ｂ、投写光学系としての投写レンズ１３、液晶駆動手段１４等を含んでいる。画像投写手段１０は、光源１１から射出された光を、液晶ライトバルブ１２Ｒ、１２Ｇ、１２Ｂで変調して画像光を形成し、この画像光を投写レンズ１３から投写することによってスクリーンＳＣ等に画像を表示する。
【００２４】
光源１１は、超高圧水銀ランプやメタルハライドランプ等からなる放電型の光源ランプ１１ａと、光源ランプ１１ａが放射した光を液晶ライトバルブ１２Ｒ、１２Ｇ、１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ、１２Ｇ、１２Ｂに入射する。
【００２５】
液晶ライトバルブ１２Ｒ、１２Ｇ、１２Ｂは、一対の透明基板間に液晶が封入された液晶パネル等によって構成される。液晶ライトバルブ１２Ｒ、１２Ｇ、１２Ｂには、マトリックス状に配列された複数の画素（図示せず）が形成されており、液晶に対して画素毎に駆動電圧を印加可能になっている。
【００２６】
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ、１２Ｇ、１２Ｂを透過することによって変調され、画像情報に応じた画像光が色光毎に形成される。形成された各色の画像光は、図示しない色合成光学系によって画素毎に合成されてカラーの画像光となった後、投写レンズ１３によってスクリーンＳＣ等に拡大投写される。
【００２７】
本実施形態では、光源としてランプを用いて投射するプロジェクター１を例示したが、本発明は光源としてＬＥＤ（Light emitting diode）光源やレーザー光源などを用いて投写するプロジェクターにも適用することができる。また、本実施形態では、画像投写手段１０は、光源１１、光変調装置としての３つの液晶ライトバルブ１２Ｒ、１２Ｇ、１２Ｂを用いた透過型液晶方式の投写光学系を例示したが、表示原理については、反射型液晶表示方式やマイクロミラーデバイス方式（ライトスイッチ表示方式）など、他の表示方式を採用しても良い。
【００２８】
制御手段２０は、図示しないＣＰＵ（Central Processing Unit）や、各種データ等の一時記憶に用いられる図示しないＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。また、制御手段２０は時間を計時するタイマー２０ａを含む。
【００２９】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。本実施形態では、スリープモードの有効、無効、または中断状態が設定されるスリープモード情報２１ａが保存される。
【００３０】
本体操作手段２２及びリモコン２３は、上述したように複数の操作キー２２０、２３０を備えており、ユーザーからの入力操作（複数の操作キー２２０、２３０の操作）を受け付ける入力操作手段に相当するものである。
複数の操作キー２２０には、上述したイジェクトキー２２１の他に、電源のオンとオフとを切り替えるための電源キーや、ＤＶＤメディアＭの再生を開始させるための再生キー、ＤＶＤメディアＭの再生を停止させるための停止キー、画像情報の入力元（入力ソース）を切り替えるための入力切替キー等が含まれ、これらは、本体操作手段２２及びリモコン２３の双方に備えられている。
また、設定メニュー等を重畳表示させるためのメニューキー、設定メニュー等で項目の選択に用いられる方向キー（上下左右に対応する４つの操作キー）、選択された項目を確定させる決定キー、動作の取り消し等を行うための取消キー、暗証番号を入力するための数字キー（０〜９に対応する１０個の操作キー）等は、リモコン２３にのみ備えられている。
ユーザーが本体操作手段２２の複数の操作キー２２０を操作すると、本体操作手段２２は、ユーザーの操作内容（操作された操作キー）に応じた操作信号を制御手段２０に出力する。また、ユーザーがリモコン２３の複数の操作キー２３０を操作すると、リモコン２３は、ユーザーの操作内容に応じた赤外線の操作信号を送信し、操作信号受信手段２４がこれを受信して制御手段２０に伝達する。
【００３１】
画像入力端子２５には、パーソナルコンピューターやビデオ再生装置等、外部の画像出力装置から、各種形式の画像情報（画像信号）がケーブル（図示せず）を介して入力される。画像入力端子２５に入力された画像信号は、入力選択手段３３に供給される。
【００３２】
入力選択手段３３は、画像入力端子２５を介して入力される画像情報（外部入力画像情報）と、ＤＶＤ再生手段２７から入力される画像情報（ＤＶＤ画像情報）のいずれか一方を、制御手段２０の指示に基づいて選択し、選択した画像情報を画像処理手段３４に出力する。
ユーザーが、本体操作手段２２或いはリモコン２３に備わる入力切替キーを操作して所望の画像情報を指定すると、制御手段２０は、指定された画像情報が画像処理手段３４に出力されるよう、入力選択手段３３に指示をする。
つまり、入力選択手段３３は、外部入力画像情報に基づく画像（外部入力画像）を投写（表示）する状態と、ＤＶＤ再生手段２７によって再生されたＤＶＤ画像情報に基づく画像（ＤＶＤ画像）を投写（表示）する状態とを、ユーザーの入力操作に応じて切り替えることができる。
【００３３】
画像信号検出手段３２は、入力選択手段３３によって選択された画像入力端子２５からの画像情報またはＤＶＤ再生手段２７から入力される画像情報が有効な画像信号か否かの検出結果を制御手段２０に通知する。
【００３４】
ＤＶＤ再生手段２７は、記録媒体としてのＤＶＤメディアＭに記録された画像情報を再生する画像再生手段に相当するものであり、挿入センサー２７１、メディア搬送手段２７２、装着センサー２７３、データ読取手段２７４、データ処理手段２７５等を含んで構成されている。
【００３５】
挿入センサー２７１は、ディスクスロット３の近傍に配置され、ＤＶＤメディアＭの一部がディスクスロット３に挿入されたことを検出して制御手段２０に通知する。
【００３６】
メディア搬送手段２７２は、ＤＶＤメディアＭを搬送するための搬送ローラー、及び搬送ローラーを回転駆動する駆動モーター（いずれも図示せず）等によって構成され、制御手段２０の指示に基づいて、ＤＶＤ再生手段２７内におけるＤＶＤメディアＭの搬送を行う。
【００３７】
具体的には、ユーザーがＤＶＤメディアＭの一部をディスクスロット３に挿入し、挿入センサー２７１がこの挿入を検出すると、制御手段２０は、メディア搬送手段２７２に指示をして、ＤＶＤメディアＭを内部に引き込んでターンテーブル（図示せず）上に装着させる。
また、ユーザーによりイジェクトキー２２１が操作されると、制御手段２０は、メディア搬送手段２７２に指示をして、ターンテーブルからＤＶＤメディアＭを離脱させ、ＤＶＤメディアＭをディスクスロット３から排出させる。
【００３８】
装着センサー２７３は、ターンテーブルの近傍に配置され、ターンテーブルにＤＶＤメディアＭが装着されていることを検出して制御手段２０に通知する。
【００３９】
データ読取手段２７４は、制御手段２０の指示に基づいて、ターンテーブル上に装着されたＤＶＤメディアＭをスピンドルモーター（図示せず）で回転させるとともに、光ピックアップ（図示せず）を走査して、ＤＶＤメディアＭに記録されているデータストリームを順次読み取る。このデータストリームは、符号化された画像情報や音声情報が多重化された情報であり、データ読取手段２７４によって読み取られたデータストリームは、データ処理手段２７５に順次出力される。
【００４０】
データ処理手段２７５は、デマルチプレクサーやデコーダー等で構成され、制御手段２０の指示に基づいて、データ読取手段２７４から入力されるデータストリームを画像情報と音声情報とに分離する処理や、分離した画像情報及び音声情報をデコード（復号化）する処理等を行う。
データ処理手段２７５は、復号化された画像情報を入力選択手段３３に出力し、復号化された音声情報を図示しない音声出力手段に出力する。なお、ＤＶＤ再生手段２７が、ＤＶＤメディアＭからデータストリームを読み取って、このデータストリームに基づく画像情報を出力することを、本明細書では「画像情報を再生する」又は「ＤＶＤを再生する」と表記する。
【００４１】
制御手段２０は、本体操作手段２２又はリモコン２３が再生キーの操作を受け付けると、ＤＶＤ再生手段２７に指示をして、画像情報の再生を開始させ、本体操作手段２２又はリモコン２３が停止キーの操作を受け付けると、ＤＶＤ再生手段２７に指示をして、画像情報の再生を停止させる。
【００４２】
挿入センサー２７１及び装着センサー２７３は、例えば、メカニカルスイッチ、光センサー、磁気センサー等の各種検出手段を用いて構成することができる。また、装着センサー２７３に関しては、上述したデータ読取手段２７４の光ピックアップが受光する反射光の信号レベルによってＤＶＤメディアＭの装着の有無を検出する態様とすることも可能である。
【００４３】
画像処理手段３４は、入力選択手段３３から入力される画像情報を、液晶ライトバルブ１２Ｒ、１２Ｇ、１２Ｂの各画素の階調を表す画像情報、即ち各画素に印加する駆動電圧を規定するための画像情報に変換する。さらに、画像処理手段３４は、制御手段２０の指示に基づいて、変換した画像情報に対して、明るさ、コントラスト、シャープネス、色合い等を調整するための画質調整処理等を行う。画像処理手段３４で画質調整等がなされた画像情報は、ＯＳＤ処理手段３５に出力される。
【００４４】
ＯＳＤ処理手段３５は、制御手段２０の指示に基づいて、投写画像（外部入力画像又はＤＶＤ画像）上に、メニュー画像やメッセージ画像等のＯＳＤ（オンスクリーンディスプレイ）画像を重畳して表示するための処理を行う。ＯＳＤ処理手段３５は、図示しないＯＳＤメモリーを備えており、ＯＳＤ画像を形成するための図形やフォント等を表すＯＳＤ画像情報を記憶している。
制御手段２０が、ＯＳＤ画像の重畳表示を指示すると、ＯＳＤ処理手段３５は、必要なＯＳＤ画像情報をＯＳＤメモリーから読み出し、投写画像上の所定の位置にＯＳＤ画像が重畳されるように、画像処理手段３４から入力される画像情報にこのＯＳＤ画像情報を合成する。ＯＳＤ画像情報が合成された画像情報は、液晶駆動手段１４に出力される。なお、制御手段２０からＯＳＤ画像を重畳する旨の指示がない場合には、ＯＳＤ処理手段３５は、画像処理手段３４から入力される画像情報を、そのまま液晶駆動手段１４に出力する。
【００４５】
液晶駆動手段１４が、画像処理手段３４から入力される画像情報に従って液晶ライトバルブ１２Ｒ、１２Ｇ、１２Ｂを駆動すると、液晶ライトバルブ１２Ｒ、１２Ｇ、１２Ｂは、画像情報に応じた画像を形成し、この画像が投写レンズ１３から投写される。
【００４６】
電源部３６には、ＡＣ１００Ｖ等の電力が電源端子３７を介して外部から供給される。電源部３６は、供給された電力を、交流電源から所定の電圧の直流電源に変換して、プロジェクター１の各部に供給する。また、電源部３６は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００４７】
光源制御手段２６は、制御手段２０の指示に基づいて、光源１１に対する電力の供給と停止とを制御し、光源１１の点灯、及び消灯を切り替える。
【００４８】
本実施形態のプロジェクター１は、上記のように構成されているため、電源端子３７に電源ケーブル（図示せず）が接続され、電源部３６に電力が供給されると、電源部３６は、少なくとも制御手段２０、記憶手段２１、本体操作手段２２、及び操作信号受信手段２４に電力（スタンバイ電力）の供給を行い、制御手段２０は、この電力供給を受けて、制御プログラムに従った動作を開始する。電力が供給された直後には、プロジェクター１は、スタンバイ状態（「電源オフ状態」ともいう。）であり、光源１１を消灯させた状態を維持している。そして、本体操作手段２２又はリモコン２３に備わる電源キーがユーザーにより操作されると、制御手段２０は、電源部３６に指示をして、各部への動作電力の供給を開始させ、プロジェクター１を電源オン状態に移行させる。
【００４９】
プロジェクター１が電源オン状態に移行すると、制御手段２０は、光源制御手段２６に指示をして光源１１を点灯させる。
そして、ユーザーが外部の画像出力装置とプロジェクター１を、画像入力端子２５を介して接続し、外部の画像出力装置からの画像情報の出力を開始させると、外部入力画像情報がプロジェクター１に入力される。
そこで、ユーザーが必要に応じて入力切替キーを操作して外部入力画像情報を指定すると、画像投写手段１０から、指定された外部入力画像情報に基づく外部入力画像が投写される。一方、ユーザーが入力切替キーを操作してＤＶＤ画像情報を指定するか、またはＤＶＤメディアＭをディスクスロット３に挿入すると、ＤＶＤ再生手段２７は、ＤＶＤ画像情報の再生を開始し、画像投写手段１０からＤＶＤ画像が投写される。また、ＤＶＤ画像情報の再生が行われている状態で停止キーが操作されると、ＤＶＤ再生手段２７は、ＤＶＤ画像情報の再生を停止する。
【００５０】
次に、本実施形態のプロジェクター１の動作を図３から図５のフローチャートを用いて説明する。
【００５１】
（外部入力画像を投写中に電源オフ操作を受け付けたとき）
図３に示すように、プロジェクター１が画像入力端子２５からの入力画像（外部入力画像）を投写中に本体操作手段２２またはリモコン２３より電源オフ操作信号を受け付けると（ステップＳ１０１）、制御手段２０は画像信号検出手段３２より画像信号が検出されているか否かを調べる（ステップＳ１０２）。画像信号が検出されている場合（ステップＳ１０２：Ｙ）、ステップＳ１０３に遷移する。画像信号が検出されていない場合（ステップＳ１０２：Ｎ）、ステップＳ１１０に遷移する。なお、ステップ１０３からステップ１０７が電源オフ保留状態に相当する。
【００５２】
ステップＳ１０３において制御手段２０は、予め定められたミュート画像（例えば、全画面黒表示）を、画像投写手段１０により投写させ、ステップＳ１０４に遷移する。
【００５３】
ステップＳ１０４において制御手段２０は、タイマー２０ａによる計時を開始（スタート）し、ステップＳ１０５に遷移する。
【００５４】
ステップＳ１０５において制御手段２０は、本体操作手段２２またはリモコン２３より電源オン操作を受け付けたか否かを調べる。電源オン操作を受け付けた場合（ステップＳ１０５：Ｙ）、ステップＳ１０８に遷移する。電源オン操作を受け付けていない場合（ステップＳ１０５：Ｎ）、ステップＳ１０６に遷移する。
【００５５】
ステップＳ１０６において制御手段２０は、画像信号検出手段３２が画像信号を検出しているか否かを調べる。画像信号を検出している場合（ステップＳ１０６：Ｙ）、ステップＳ１０７に遷移する。画像信号を検出していない場合（ステップＳ１０６：Ｎ）、ステップＳ１１０に遷移する。
【００５６】
ステップＳ１０７において制御手段２０は、タイマー２０ａが電源オフ保留時間Ｔ１を経過したか否かを調べる。タイマー２０ａが電源オフ保留時間Ｔ１を経過した場合（ステップＳ１０７：Ｙ）、ステップＳ１１０に遷移する。タイマー２０ａが電源オフ保留時間Ｔ１を経過していない場合（ステップＳ１０７：Ｎ）、ステップＳ１０５に遷移する。
【００５７】
ステップＳ１０８において、制御手段２０は、画像投写手段１０によるミュート画像投写を終了（解除）し、ステップＳ１０９に遷移する。
【００５８】
ステップＳ１０９において、本動作フローを終了する。その後、制御手段２０はプロジェクター１を通常の画像投写状態に移行する。
【００５９】
ステップＳ１１０において制御手段２０は、光源１１を消灯し、プロジェクター１の電源をオフし、ステップＳ１１１に遷移する。
【００６０】
ステップＳ１１１において制御手段２０は、プロジェクター１をスタンバイ状態に移行し、本動作フローを終了する。
【００６１】
（ＤＶＤ画像を投写中に電源オフ操作を受け付けたとき）
図４に示すように、プロジェクター１が入力選択手段３３によりＤＶＤ再生手段２７からのＤＶＤ画像を投写中に、本体操作手段２２またはリモコン２３より電源オフ操作信号を受け付けると（ステップＳ２０１）、制御手段２０はＤＶＤメディアＭが筐体２より排出されたか（排出済みか）否かを調べる（ステップＳ２０２）。ＤＶＤメディアＭが排出されている場合（ステップＳ２０２：Ｙ）、ステップＳ２１１に遷移する。ＤＶＤメディアＭが排出されていない場合（ステップＳ２０２：Ｎ）、ステップＳ２０３に遷移する。
【００６２】
ステップＳ２０３において制御手段２０は、予め定められたミュート画像（例えば、全画面黒表示）を、画像投写手段１０により投写させ、ステップＳ２０４に遷移する。
【００６３】
ステップＳ２０４において制御手段２０は、タイマー２０ａによる計時を開始（スタート）し、ステップＳ２０５に遷移する。
【００６４】
ステップＳ２０５において制御手段２０は、本体操作手段２２またはリモコン２３より電源オン操作を受け付けたか否かを調べる。電源オン操作を受け付けた場合（ステップＳ２０５：Ｙ）、ステップＳ２０８に遷移する。電源オン操作を受け付けていない場合（ステップＳ２０５：Ｎ）、ステップＳ２０６に遷移する。
【００６５】
ステップＳ２０６において制御手段２０は、本体操作手段２２またはリモコン２３よりＤＶＤメディアＭの排出操作を受け付けたか否かを調べる。ＤＶＤメディアＭの排出操作を受け付けた場合（ステップＳ２０６：Ｙ）、ステップＳ２１０に遷移する。ＤＶＤメディアＭの排出操作を受け付けていない場合（ステップＳ２０６：Ｎ）、ステップＳ２０７に遷移する。
【００６６】
ステップＳ２０７において制御手段２０は、タイマー２０ａが電源オフ保留時間Ｔ１を経過したか否かを調べる。タイマー２０ａが電源オフ保留時間Ｔ１を経過した場合（ステップＳ２０７：Ｙ）、ステップＳ２１１に遷移する。タイマー２０ａが電源オフ保留時間Ｔ１を経過していない場合（ステップＳ２０７：Ｎ）、ステップＳ２０５に遷移する。
【００６７】
ステップＳ２０８において、制御手段２０は、画像投写手段１０によるミュート画像の投写を終了（解除）し、ステップＳ２０９に遷移する。
【００６８】
ステップＳ２０９において、本動作フローを終了する。その後、制御手段２０はプロジェクター１を通常の画像投写状態に移行する。
【００６９】
ステップＳ２１０において、制御手段２０はＤＶＤ再生手段２７に指示し、ＤＶＤメディアＭを筐体２より排出し、ステップＳ２１１に遷移する。
【００７０】
ステップＳ２１１において制御手段２０は、光源１１を消灯し、プロジェクター１の電源をオフし、ステップＳ２１２に遷移する。
【００７１】
ステップＳ２１２において制御手段２０は、プロジェクター１をスタンバイ状態に移行し、本動作フローを終了する。
【００７２】
（外部入力画像を投写中に無信号状態を検出したとき）
図５に示すように、プロジェクター１が画像入力端子２５を介した入力画像（外部入力画像）を投写中に画像信号検出手段３２が有効な画像信号を検出しなくなった、つまり無信号状態を検出した場合（ステップＳ３０１）、制御手段２０はスリープモード情報２１ａにスリープモードが有効に設定されているか否かを調べる（ステップＳ３０２）。スリープモードが有効に設定されている場合（ステップＳ３０２：Ｙ）、ステップＳ３０３に遷移する。スリープモードが有効に設定されていない場合（ステップＳ３０２：Ｎ）、ステップＳ３０７に遷移する。
【００７３】
ステップＳ３０３において制御手段２０は、タイマー２０ａによる計時を開始（スタート）し、ステップＳ３０４に遷移する。
【００７４】
ステップＳ３０４において制御手段２０は、画像信号検出手段３２が画像信号を検出したか否かを調べる。画像信号を検出した場合（ステップＳ３０４：Ｙ）、タイマー２０ａによる計時を停止し（ステップＳ３０６）、ステップＳ３０７に遷移する。一方、画像信号を検出していない場合（ステップＳ３０４：Ｎ）、ステップＳ３０５に遷移する。
【００７５】
ステップＳ３０５において制御手段２０は、タイマー２０ａがスリープ移行時間Ｔ２を経過したか否かを調べる。タイマー２０ａがスリープ移行時間Ｔ２を経過した場合（ステップＳ３０５：Ｙ）、ステップＳ３０８に遷移する。タイマー２０ａがスリープ移行時間Ｔ２を経過していない場合（ステップＳ３０５：Ｎ）、ステップＳ３０４に遷移する。
【００７６】
ステップＳ３０７において本動作フローを終了し、画像信号が検出されていない場合は無信号状態を示す画面を、画像信号が検出されている場合は、検出された画像信号に基づく画像を画像投写手段により投写する。
【００７７】
ステップＳ３０８において制御手段２０は、予め定められたミュート画像（例えば全画面黒表示）を、画像投写手段１０により投写させ、ステップＳ３０９に遷移する。
【００７８】
ステップＳ３０９において制御手段２０は、タイマー２０ａをリセットし、計時を再度開始（再スタート）し、ステップＳ３１０に遷移する。
【００７９】
ステップＳ３１０において制御手段２０は、本体操作手段２２またはリモコン２３より電源オン操作を受け付けたか否かを調べる。電源オン操作を受け付けた場合（ステップＳ３１０：Ｙ）、ステップＳ３１１に遷移する。電源オン操作を受け付けていない場合（ステップＳ３１０：Ｎ）、ステップＳ３１５に遷移する。
【００８０】
ステップＳ３１１において、制御手段２０は、画像投写手段１０によるミュート画像投写を終了（解除）し、ステップＳ３１２に遷移する。
【００８１】
ステップＳ３１２において、制御手段２０は、スリープモードを有効のままにする（解除しない）か、無効にする（解除する）か、中断する（次回起動時に有効にする）かの確認メッセージＭ１を画像投写手段１０により投写し、ステップＳ３１３に遷移する。このときの確認メッセージＭ１の一例を図６に示す。
【００８２】
ステップＳ３１３において、制御手段２０は、ステップＳ３１２の確認メッセージＭ１に対する応答をスリープモード情報２１ａに設定し、ステップＳ３１４に遷移する。
【００８３】
ステップＳ３１４において本動作フローを終了し、元の動作に戻る。
【００８４】
ステップＳ３１５において制御手段２０は、タイマー２０ａが電源オフ保留時間Ｔ１を経過したか否かを調べる。タイマー２０ａが電源オフ保留時間Ｔ１を経過した場合（ステップＳ３１５：Ｙ）、ステップＳ３１６に遷移する。タイマー２０ａが電源オフ保留時間Ｔ１を経過していない場合（ステップＳ３１５：Ｎ）、ステップＳ３１０に遷移する。
【００８５】
ステップＳ３１６において制御手段２０は、光源１１を消灯し、プロジェクター１の電源をオフし、ステップＳ３１７に遷移する。
【００８６】
ステップＳ３１７において制御手段２０は、プロジェクター１をスタンバイ状態に移行し、本動作フローを終了する。
【００８７】
以上説明したように、本実施形態のプロジェクター１によれば、画像入力端子２５を介した画像情報を投写中に電源オフ操作した場合、画像信号が入力されていれば電源オフ保留時間Ｔ１が経過するまでは電源オフが保留され、この間に再度電源オン操作を行えば、再度プロジェクター１が電源オン状態になる。また、電源オフ操作時、および電源オフ保留状態で画像信号が入力されていなければ直ちに電源オフする。これにより、有効な画像信号を投写中に誤って電源オフ操作した場合は、電源オフ保留時間Ｔ１が経過するまでに電源オン操作すればすぐに画像の投写を再開できる。従って、プロジェクターを再起動して画像が再度投写されるまでの光源再点灯や内部の初期設定などの工程を省くことができ、再投写されるまでの無駄な待ち時間がなくなる。また、画像信号が入力されていない状態で電源オフ操作した場合や電源オフ保留状態で画像信号が入力されなくなれば直ちに電源オフをするので、電源オフ保留状態での電力消費を削減することが可能となる。
【００８８】
また、電源オフ保留状態において予め定められたミュート画像が表示されているので、プロジェクター１が電源オフ操作を受け付けた電源オフ保留状態になっていることを使用者に知らせることが可能となる。
【００８９】
また。ＤＶＤメディアＭに記録された画像情報を投写中に電源オフ操作した場合、ＤＶＤメディアＭが装着されていれば電源オフ保留時間Ｔ１が経過するまでは電源オフが保留され、この間に再度電源オン操作を行えば、再度プロジェクター１が電源オン状態になる。また、電源オフ操作時、および電源オフ保留状態でＤＶＤメディアＭが装着されていなければ直ちに電源オフする。これにより、ＤＶＤメディアＭに記録された画像情報を投写中に誤って電源オフ操作した場合は、電源オフ保留時間Ｔ１が経過するまでに電源オン操作をすればすぐに画像の投写を再開できる。従って、プロジェクターを再起動してＤＶＤメディアＭの情報読み込みや光源１１の再点灯、内部の初期設定などの工程を省くことができ、再投写されるまでの無駄な待ち時間がなくなる。
また、ＤＶＤメディアＭが装着されていない状態で電源オフ操作した場合や電源オフ保留状態でＤＶＤメディアＭが排出された場合は直ちに電源オフするので、電源オフ保留状態での電力消費を削減することが可能となる。
【００９０】
また、上記実施形態は、以下のように変更してもよい。
（変形例１）
上記実施形態では、電源オフ保留状態に所定のミュート画像を表示したが、電源オフ保留状態になったとき、筐体内部を冷却するファンを高速回転するようにしてもよい。これにより、使用者が画面を注視していなかった場合でも、ファンが高速回転になったことによる音の変化により電源オフ保留状態になったことを知らせることが可能となる。
【００９１】
（変形例２）
上記実施形態では記録媒体としてＤＶＤ（Ｄｉｇｉｔａｌ  Ｖａｒｓａｔｉｌｅ  Ｄｉｓｃ）について説明したが、これに限るものでなく、例えばＢｌｕ−ｒａｙ（登録商標）ディスクなどのように、画像再生装置本体内に挿入するものや、ＵＳＢメモリー等、プロジェクター本体に装着できるものでもよい。
【符号の説明】
【００９２】
１…プロジェクター、２…筐体、３…ディスクスロット、１０…画像投写部、１１…光源、１２Ｒ，１２Ｇ，１２Ｂ…液晶ライトバルブ、１３…投写レンズ、１４…液晶駆動手段、２０…制御手段、２１…記憶手段、２２…本体操作手段、２３…リモコン、２４…操作信号受信手段、２５…画像入力端子、２６…光源制御手段、２７…ＤＶＤ再生部、２７１…挿入センサー、２７２…メディア搬送手段、２７３…装着センサー、２７４…データ読手段部、２７５…データ処理手段、３２…画像信号検出手段、３３…入力選択手段、３４…画像処理手段、３５…ＯＳＤ処理手段、３６…電源部、３７…電源端子。
【図１】
2013044850.tif 000003
【図２】
2013044850.tif 000004
【図３】
2013044850.tif 000005
【図４】
2013044850.tif 000006
【図５】
2013044850.tif 000007
【図６】
2013044850.tif 000008